(57)【特許請求の範囲】
【請求項１】
複数の画素を整列してなる画素層と該画素層上に積層される複数の平凸レンズを整列してなる平凸レンズ層とを備えており、平凸レンズ層を構成する各平凸レンズが画素層に対して平面側を向いており、画素層を構成する画素と平凸レンズ層を構成する平凸レンズとが同じ配列で並べられており、画素層を構成する画素の並びと平凸レンズ層を構成する平凸レンズの並びとが交差するように位置付けられており、画素層下に各平凸レンズの球面側から入射した光を反射する反射層が位置付けられていると共に反射層と画素層の間に少なくとも一層の透明層が位置付けられており、平凸レンズと重なっていない画素と平凸レンズを介して目視される平凸レンズと重なっている画素と平凸レンズを介して目視される反射層に映り込んだ画素とによって形成される画像が現出することを特徴とする装飾体。
【請求項２】
複数の画素を整列してなる画素層と該画素層上に積層される複数の平凸レンズを整列してなる平凸レンズ層とを備えており、平凸レンズ層を構成する各平凸レンズが画素層に対して平面側を向いており、画素層を構成する画素と平凸レンズ層を構成する平凸レンズとが横方向のピッチを相違させた配列で並べられており、画素層下に各平凸レンズの球面側から入射した光を反射する反射層が位置付けられていると共に反射層と画素層の間に少なくとも一層の透明層が位置付けられており、平凸レンズと重なっていない画素と平凸レンズを介して目視される平凸レンズと重なっている画素と平凸レンズを介して目視される反射層に映り込んだ画素とによって形成される画像が現出することを特徴とする装飾体。
【発明の詳細な説明】
【技術分野】
【０００１】
本発明は、装飾体に関するものである。
【背景技術】
【０００２】
周知のとおり、広告板などに使用される装飾体の一つとして、複数の画素を整列してなる画素層と複数の平凸レンズを整列してなる平凸レンズ層とを積層することにより、画像が現出する装飾体が知られている。
【０００３】
例えば、後出特許文献１には、着色又は無着色の透明基板Ｂの表面に、透明性を有する着色又は無着色の独立した多数の凸状集光素Ａを一定の微細なピッチにて規則正しい配列状態に印刷し、該透明基板Ｂの裏面に、前記表面の凸状集光素Ａと同形状で同配列状態又は異形状で同配列状態の多数の着色画素Ｃを、表面の凸状集光素Ａに対し交差角をずらせて印刷することにより、前記着色画素Ｃが、表面から見て立体感を有する拡大画像として現出し視点を移動させると該拡大画像が揺らぎ感を呈するモアレ現象を利用した点描画模様の装飾体が開示されている。
【０００４】
また、後出特許文献１には、同一形状・同一大きさの平凸レンズ状集光素を多数縦横に整列させて形成してなる平凸レンズ状集光素層と該平凸レンズ状集光素層の下に積層された透明基板層と該透明基板層の下に積層された同一形状・同一大きさの画素を多数縦横に整列させて形成してなる画素層とからなり、前記各平凸レンズ状集光素と前記各画素とは少なくとも一組が上下において完全に重なっていると共に該重なっている画素と等距離にある他の画素が該他の画素と対応する平凸レンズ状集光素に対して当該重なっている画素を中心として放射状に外側（又は内側）へ向かって同じ幅でずれていて、かつ、当該中心となる画素より外側の画素ほどずれる幅が大きくなるように前記平凸レンズ状集光素層と前記画素層とが配置されており、前記画素の形状と同一形状の拡大された虚像が前記重なっている画素を中心として前記平凸レンズ状集光素層の上方（又は下方）に現出する虚像現出装飾体が開示されている。
【特許文献１】特開平１０−３５０８３号公報
【特許文献２】特開平２００１−５５０００号公報
【発明の開示】
【発明が解決しようとする課題】
【０００５】
ところが、前記両特許文献に開示された装飾体においては、画素層と平凸レンズ層の間にある程度の厚みを有する透明層を積層しなければ鮮明な画像が現出されないため、装飾体自体の厚みも増し、これにより、包装箱などの厚みに制約のある物品に対して採用できず、装飾対象が限定されていた。また、印刷による形成を考慮した場合に、ある程度の厚みが必要な透明層は印刷での形成が困難であり、このため、透明層として合成樹脂などからなる透明板を用いると、画素層と平凸レンズ層を透明板の別々の面に印刷する必要があり、製造に手間がかかった。
【０００６】
そこで、本発明は、厚みに制約のある物品に対しても採用できるような薄さでありながら鮮明な画像を現出させることができ、また、印刷による形成を考慮した場合においても、全ての層を印刷によって積み重ねることができる装飾体を得ることを技術的課題として、その具現化をはかるべく、試作・実験を繰り返した結果、複数の画素を整列してなる画素層と、画素層上に積層される複数の平凸レンズを整列してなる平凸レンズ層とを備えた装飾体において、平凸レンズ層を構成する各平凸レンズを画素層に対して平面側を向けた状態で配置し、画素層下に各平凸レンズの球面側から入射した光を反射する反射層を位置付ければ、画素層と平凸レンズ層との間に透明層を積層することなく薄い積層構造を維持した状態で鮮明な画像を現出させることができるという刮目すべき知見を得、前記技術的課題を達成したものである。
【課題を解決するための手段】
【０００７】
前記技術的課題は、次の通りの本発明によって解決できる。
【０００８】
即ち、本発明に係る装飾体は、複数の画素を整列してなる画素層と該画素層上に積層される複数の平凸レンズを整列してなる平凸レンズ層とを備えており、平凸レンズ層を構成する各平凸レンズが画素層に対して平面側を向いており、画素層を構成する画素と平凸レンズ層を構成する平凸レンズとが同じ配列で並べられており、画素層を構成する画素の並びと平凸レンズ層を構成する平凸レンズの並びとが交差するように位置付けられており、画素層下に各平凸レンズの球面側から入射した光を反射する反射層が位置付けられていると共に反射層と画素層の間に少なくとも一層の透明層が位置付けられており、平凸レンズと重なっていない画素と平凸レンズを介して目視される平凸レンズと重なっている画素と平凸レンズを介して目視される反射層に映り込んだ画素とによって形成される画像が現出するものである。
【０００９】
また、本発明に係る装飾体は、複数の画素を整列してなる画素層と該画素層上に積層される複数の平凸レンズを整列してなる平凸レンズ層とを備えており、平凸レンズ層を構成する各平凸レンズが画素層に対して平面側を向いており、画素層を構成する画素と平凸レンズ層を構成する平凸レンズとが横方向のピッチを相違させた配列で並べられており、画素層下に各平凸レンズの球面側から入射した光を反射する反射層が位置付けられていると共に反射層と画素層の間に少なくとも一層の透明層が位置付けられており、平凸レンズと重なっていない画素と平凸レンズを介して目視される平凸レンズと重なっている画素と平凸レンズを介して目視される反射層に映り込んだ画素とによって形成される画像が現出するものである。
【発明の効果】
【００１０】
本発明によれば、画素層下に各平凸レンズの球面側から入射した光を反射する反射層を位置付けたので、装飾体に対して光を照射すると、反射層における画素が存在しない部分において光が反射し、その反射した光を画素との重なり合いが小さな平凸レンズが集光して輝くため、この輝いた平凸レンズの存在により、画素との重なり合いが大きな平凸レンズの集合体によって形成される画像が強調され、実質的に装飾体に画像が現出する。なお、平凸レンズとして球面レンズを採用することにより、画素の形状に起因した形状の画像を現出させることができる。また、印刷による形成を考慮した場合に、印刷で形成が困難な層を有しないため、例えば、市販のタック紙などいずれか一方面にしか印刷することができない物品に対しても適用することができ、装飾の対象となる物品が非常に広がる。
【００１１】
従って、本発明の産業上利用性は非常に高いといえる。
【発明を実施するための最良の形態】
【００１２】
以下、本発明の実施の形態を図面に基づき説明する。
【００１３】
実施の形態１．
【００１４】
図１は本実施の形態に係る装飾体を示した断面図である。図２は本実施の形態に係る装飾体の画像層と平凸レンズ層との位置関係を示した平面図であり、図中、縦横方向の画素の並びを実線、縦横方向の平凸レンズの並びを点線にて示している。図３は図１に示す装飾体に現出する画像を示した説明図である。これらの図において、１は、複数の画素２を整列してなる画素層３と、画素層３上に積層される複数の平凸レンズ４を整列してなる平凸レンズ層５と、画素層３下に積層される各平凸レンズ４の球面側から入射した光を反射する反射層６とから構成される装飾体である。
【００１５】
画素層３は、複数の四角状の画素２によって構成されている。そして、各画素２は、縦方向のピッチと横方向のピッチとが一致するように配列して並べられている。なお、画素層３は、銀塩フィルム現像法（写真製版）、スクリーン印刷、オフセット印刷又は凸版印刷などによって形成することができる。
【００１６】
平凸レンズ層５は、複数の平凸レンズ４によって構成されている。各平凸レンズ４は、画素層３に対して平面側を向けた状態で積層されている。そして、各平凸レンズ４は、画素層３を構成する画素２と縦・横方向のピッチが一致するように配列して並べられている。なお、平凸レンズ層５は、厚盛性の良好な透明インキを用いてスクリーン印刷することによって形成することができる。
【００１７】
反射層６は、照射された光を反射できるものであればよく、例えば、鏡、金属、フォログラムシートなどの光を反射できる部材によって形成してもよく、また、メタリックインキなどの金属調インキを印刷することによって形成することもできる。なお、反射層６の反射の度合いが高いほど鮮明な画像が得られる傾向にあるため、反射層６を鏡面にすることが好ましい。
【００１８】
次に、画素２と平凸レンズ４の位置関係について説明する。
【００１９】
画素層３と平凸レンズ層５とは、図２に示すように、画素２と平凸レンズ４とが上下において最も重なる基準画素７と基準平凸レンズ８とからなる組を有するように積層されている。そして、基準画素７を含む縦方向の画素の並び（以下、「基準画素列」という。）９と基準平凸レンズ８を含む縦方向の画素の並び（以下、「基準平凸レンズ列」という。）１０とが基準画素７と基準平凸レンズ８とからなる組を中心として交差するように位置付けられている。これにより、基準画素７から等距離にある画素２が該画素２に対応する平凸レンズ４に対して基準画素７を中心として回転する方向にずれており、かつ、基準画素７よりも外側の画素２ほどずれ幅が大きくなっている。
【００２０】
次に、装飾体１に現出する画像について説明する。
【００２１】
先ず、装飾体１の上方から光を照射すると、基準平凸レンズ８から離れて位置する、画素２と重なり合いの小さな平凸レンズ４が反射層６で反射された光を集光して輝く。これにより、基準平凸レンズ８を中心として該基準平凸レンズ８の周囲に位置する、画素２と重なり合いの大きな平凸レンズ４によって形成される画素２の拡大画像が強調され、装飾体１に画素２の拡大画像が現出する。
【００２２】
この時、画素２と平凸レンズ４との位置関係が、基準画素７から等距離にある画素２が該画素２に対応する平凸レンズ４に対して基準画素７を中心として回転する方向にずれており、かつ、基準画素７よりも外側の画素２ほどずれ幅が大きくなっているので、図３に示すように、左目１１のみで目視したときに見える画像１２と右目１３のみで目視したときに見える画像１４との位置関係を比べると、両画像１２，１４が横方向にずれずに縦方向にずれて現れる。この画像１２，１４のずれにより、画素２の拡大画像１５が基準画素７を中心として装飾体１と同一平面上に見える。
【００２３】
実施の形態２．
【００２４】
本実施の形態は前記実施の形態１における画素層と平凸レンズ層との位置関係を変えた変形例である。図４は本実施の形態に係る装飾体を示した断面図である。図５は本実施の形態に係る装飾体の画像層と平凸レンズ層との位置関係を示した平面図であり、図中、縦横方向の画素の並びを実線、縦横方向の平凸レンズの並びを点線にて示している。図６は図４に示す装飾体に現出する画像を示した説明図である。これらの図において、図１〜図３と同一符号は同一又は相当部分を示している。
【００２５】
本実施の形態に係る平凸レンズ層５を構成する平凸レンズ４は、前記実施の形態１と同様に配列されている。また、画素層３を構成する画素２は、平凸レンズ４における縦方向のピッチよりも僅かに狭いピッチで縦方向に配列されていると共に、平凸レンズ４における横方向のピッチよりも僅かに狭いピッチで横方向に配列されており、縦方向のピッチと横方向のピッチは一致するように配列して並べられている。
【００２６】
次に、画素２と平凸レンズ４との位置関係を説明する。
【００２７】
画素層３と平凸レンズ層５とは、図５に示すように、画素２と平凸レンズ４とが上下において最も重なる基準画素７と基準平凸レンズ８とからなる組を有するように積層されている。そして、基準画素列９から等距離にある一対の縦方向の画素２の並び（以下、「画素列」という。）１６が該画素列１６に対応する縦方向の平凸レンズ４の並び（以下、「平凸レンズ列」という。）１７に対して基準画素列９を中心として内側にずれていると共に、基準画素列９よりも外側の画素列１６ほどずれる幅が大きくなり、かつ、基準画素７を含む横方向の画素２の並び（以下、「基準画素行」という。）１８から等距離にある一対の横方向の画素２の並び（以下、「画素行」という。）１９が該画素行１９に対応する横方向の平凸レンズの並び（以下、「平凸レンズ行」という。）２０に対して基準画素行１８を中心として内側にずれていると共に、基準画素行１８よりも外側の画素行１９ほどずれる幅が大きくなっている。
【００２８】
次に、装飾体１に現出する画像について説明する。
【００２９】
先ず、装飾体１の上方から光を照射すると、前記実施の形態１と同様に画素２と重なり合いの小さな平凸レンズ４が反射層６で反射された光を集光して輝くことにより、画素２と重なり合いの大きな平凸レンズ４によって形成される画素２の拡大画像が強調され、装飾体１に画素２の拡大画像が現出する。
【００３０】
この時、画素２と平凸レンズ４の位置関係が、基準画素列９から等距離にある一対の画素列１６が該画素列１６に対応する平凸レンズ列１７に対して基準画素列９を中心として内側にずれていると共に、基準画素列９よりも外側の画素列１６ほどずれる幅が大きくなっているので、図６に示すように、左目１１のみで目視したときに見える画像２１と右目１３のみで目視したときに見える画像２２との位置関係を比べると、目線が交差しないようにずれて画像２１，２２が現れる。この画像２１，２２のずれにより、画素２の拡大画像２３が基準画素７を中心として装飾体１に対して奥（下方）に沈んで見える。
【００３１】
実施の形態３．
【００３２】
本実施の形態は前記実施の形態１における画素層と平凸レンズ層との位置関係を変えた変形例である。図７は本実施の形態に係る装飾体を示した断面図である。図８は本実施の形態に係る装飾体の画像層と平凸レンズ層との位置関係を示した平面図であり、図中、縦横方向の画素の並びを実線、縦横方向の平凸レンズの並びを点線にて示している。図９は図７に示す装飾体に現出する画像を示した説明図である。これらの図において、図１〜図３と同一符号は同一又は相当部分を示している。
【００３３】
本実施の形態に係る平凸レンズ層５を構成する平凸レンズ４は、前記実施の形態１と同様に配列されている。また、画素層３を構成する画素２は、平凸レンズ４における縦方向のピッチよりも僅かに広いピッチで縦方向に配列されていると共に、平凸レンズ４における横方向のピッチよりも僅かに広いピッチで横方向に配列されており、縦方向のピッチと横方向のピッチとが一致するように配列して並べられている。
【００３４】
次に、画素２と平凸レンズ４との位置関係を説明する。
【００３５】
画素層３と平凸レンズ層５とは、図８に示すように、画素２と平凸レンズ４とが上下において最も重なる基準画素７と基準平凸レンズ８とからなる組を有するように積層されている。そして、基準画素列９から等距離にある一対の画素列１６が該画素列１６に対応する平凸レンズ列１７に対して基準画素列９を中心として外側にずれていると共に、基準画素列９よりも外側の画素列１６ほどずれる幅が大きくなり、かつ、基準画素行１８から等距離にある一対の画素行１９が該画素行１９に対応する平凸レンズ行２０に対して基準画素行１８を中心として外側にずれていると共に、基準画素行１８よりも外側の画素行１９ほどずれる幅が大きくなっている。
【００３６】
次に、装飾体１に現出する画像について説明する。
【００３７】
先ず、装飾体１の上方から光を照射すると、前記実施の形態１と同様に画素２と重なり合いの小さな平凸レンズ４が反射層６で反射された光を集光して輝くことにより、画素２と重なり合いの大きな平凸レンズ４によって形成される画素２の拡大画像が強調され、装飾体１に画素２の拡大画像が現出する。
【００３８】
この時、画素２と平凸レンズ４との位置関係が、基準画素列９から等距離にある一対の画素列１６が該画素列１６に対応する平凸レンズ列１７に対して基準画素列９を中心として外側にずれていると共に、基準画素列９よりも外側の画素列１６ほどずれる幅が大きくなっているので、図９に示すように、左目１１のみで目視したときに見える画像２４と右目１３のみで目視したときに見える画像２５との位置関係を比べると、目線が交差するようにずれて画像２４，２５が現れる。この画像２４，２５のずれにより、画素２の拡大画像２６が基準画素７を中心として装飾体１に対して手前（上方）に浮かんで見える。
【００３９】
実施の形態４．
【００４０】
本実施の形態は前記実施の形態１における画素層と平凸レンズ層との位置関係を変えた変形例である。図１０は本実施の形態に係る装飾体を示した断面図であり、図１０の（ａ）は基準画素を含む横方向の画素の並びに沿って切断したものであり、図１０の（ｂ）は基準画素を含む縦方向の画素の並びに沿って切断したものである。図１１は本実施の形態に係る装飾体の画像層と平凸レンズ層との位置関係を示した平面図であり、図中、縦横方向の画素の並びを実線、縦横方向の平凸レンズの並びを点線にて示している。図１２は図１０に示す装飾体に現出する画像を示した説明図であり、図１２の（ａ）は装飾体をＸ方向から目視した際に現出する画像を示しており、図１２の（ｂ）は装飾体をＹ方向から目視した際に現出する画像を示している。これらの図において、図１〜図３と同一符号は同一又は相当部分を示している。
【００４１】
本実施の形態に係る平凸レンズ層５を構成する平凸レンズ４は、前記実施の形態１と同様に配列されている。また、画素層３を構成する画素２は、平凸レンズ４における縦方向のピッチよりも僅かに狭いピッチで縦方向に配列されていると共に、平凸レンズ４における横方向のピッチよりも僅かに広いピッチで横方向に配列されており、画素２と平凸レンズ４とのピッチの差は縦方向と横方向において一致するように配列して並べられている。
【００４２】
次に、画素２と平凸レンズ４との位置関係を説明する。
【００４３】
画素層３と平凸レンズ層５とは、図１１に示すように、画素２と平凸レンズ４とが上下において最も重なる基準画素７と基準平凸レンズ８とからなる組を有するように積層されている。そして、基準画素列９から等距離にある一対の画素列１６が該画素列１６に対応する平凸レンズ列１７に対して基準画素列９を中心として外側にずれていると共に、基準画素列９よりも外側の画素列１６ほどずれる幅が大きくなり、かつ、基準画素行１８から等距離にある一対の画素行１９が該画素行１９に対応する平凸レンズ行２０に対して基準画素行１８を中心として内側にずれていると共に、基準画素行１８よりも外側の画素行１９ほどずれる幅が大きくなっている。
【００４４】
次に、装飾体１に現出する画像について説明する。
【００４５】
先ず、装飾体１の上方から光を照射すると、前記実施の形態１と同様に画素２と重なり合いの小さな平凸レンズ４が反射層６で反射された光を集光して輝くことにより、画素２と重なり合いの大きな平凸レンズ４によって形成される画素２の拡大画像が強調され、装飾体１に画素２の拡大画像が現出する。
【００４６】
この時、装飾体１をＸ方向から目視すると、画素２と平凸レンズ４との位置関係が、基準画素列９から等距離にある一対の画素列１６が該画素列１６に対応する平凸レンズ列１７に対して基準画素列９を中心として外側にずれていると共に、基準画素列９よりも外側の画素列１６ほどずれる幅が大きくなっているので、図１２の（ａ）に示すように、画素２の拡大画像２７が基準画素７を中心として装飾体１に対して手前（上方）に浮かんで見える。
【００４７】
一方、装飾体１をＹ方向から目視すると、画素２と平凸レンズ４との位置関係が、基準画素行１８から等距離にある一対の画素行１９が該画素行１９に対応する平凸レンズ行２０に対して基準画素行１８を中心として内側にずれていると共に、基準画素行１８よりも外側の画素行１９ほどずれる幅が大きくなっているので、図１２の（ｂ）に示すように、画素２の拡大画像２８が基準画素７を中心として装飾体１に対して奥（下方）に沈んで見える。
【００４８】
従って、装飾体１を９０度回転させることにより、異なる高さ位置に現出する画像２７，２８を視認することができる。
【００４９】
実施の形態５．
【００５０】
本実施の形態は前記実施の形態１における画素層と平凸レンズ層との位置関係を変えた変形例である。図１３は本実施の形態に係る装飾体を示した断面図であり、図１３の（ａ）は基準画素を含む横方向の画素の並びに沿って切断したものであり、図１３の（ｂ）は基準画素を含む縦方向の画素の並びに沿って切断したものである。図１４は本実施の形態に係る装飾体の画像層と平凸レンズ層との位置関係を示した平面図であり、図中、縦横方向の画素の並びを実線、縦横方向の平凸レンズの並びを点線にて示している。図１５は図１３に示す装飾体に現出する画像を示した説明図であり、図１５の（ａ）は装飾体をＸ方向から目視した際に現出する画像を示しており、図１５の（ｂ）は装飾体をＹ方向から目視した際に現出する画像を示している。これらの図において、図１〜図３と同一符号は同一又は相当部分を示している。
【００５１】
本実施の形態に係る平凸レンズ層５を構成する平凸レンズ４は、前記実施の形態１と同様に配列されている。また、画素層３を構成する画素２は、平凸レンズ４における縦方向のピッチよりも僅かに広いピッチで縦方向に配列されていると共に、その縦方向のピッチよりもさらに広いピッチで横方向に配列されている。従って、画素２と平凸レンズ４とのピッチの差は縦方向よりも横方向の方が大きくなっている。
【００５２】
次に、画素２と平凸レンズ４との位置関係を説明する。
【００５３】
画素層３と平凸レンズ層５とは、図１４に示すように、画素２と平凸レンズ４とが上下において最も重なる基準画素７と基準平凸レンズ８とからなる組を有するように積層されている。そして、基準画素列９から等距離にある一対の画素列１６が該画素列１６に対応する平凸レンズ列１７に対して基準画素列９を中心として外側にずれていると共に、基準画素列９よりも外側の画素列１６ほどずれる幅が大きくなり、かつ、基準画素行１８から等距離にある一対の画素行１９が該画素行１９に対応する平凸レンズ行２０に対して基準画素行１８を中心として画素列１６の平凸レンズ列１７に対するずれ幅よりも小さなずれ幅で外側にずれていると共に、基準画素行１８よりも外側の画素行１９ほどずれる幅が大きくなっている。
【００５４】
次に、装飾体１に現出する画像について説明する。
【００５５】
先ず、装飾体１の上方から光を照射すると、前記実施の形態１と同様に画素２と重なり合いの小さな平凸レンズ４が反射層６で反射された光を集光して輝くことにより、画素２と重なり合いの大きな平凸レンズ４によって形成される画像が強調され、装飾体１に画像が現出する。
【００５６】
この時、装飾体１をＸ方向から目視すると、画素２と平凸レンズ４との位置関係が、基準画素列９から等距離にある一対の画素列１６が該画素列１６に対応する平凸レンズ列１７に対して基準画素列９を中心として外側にずれていると共に、基準画素列９よりも外側の画素列１６ほどずれる幅が大きくなっているので、画像が基準画素７を中心として装飾体１に対して手前（上方）に浮かんで見える。
【００５７】
一方、装飾体１をＹ方向から目視すると、画素２と平凸レンズ４との位置関係が、基準画素行１８から等距離にある一対の画素行１９が該画素行１９に対応する平凸レンズ行２０に対して基準画素行１８を中心として外側にずれていると共に、基準画素行１８よりも外側の画素行１９ほどずれる幅が大きくなっているので、画像が基準画素７を中心として装飾体１に対して手前（上方）に浮かんで見える。
【００５８】
なお、画素２と平凸レンズ４の縦方向のピッチの差が画素２と平凸レンズ４の横方向のピッチの差よりも小さいため、平凸レンズ列に沿って引き伸ばされた形状の画像が現出し、また、図１５の（ａ）及び図１５の（ｂ）に示すように、装飾体１をＸ方向から目視した際に現出する画像２９よりもＹ方向から目視した際に現出する画像３０の方が下側の高さ位置に浮いて見える。
【００５９】
従って、装飾体１を９０度回転させることにより、異なる高さ位置に浮かんで現出する画像２９，３０を視認することができる。
【００６０】
実施の形態６．
【００６１】
本実施の形態は前記実施の形態１における画素層と平凸レンズ層との位置関係を変えた変形例である。図１６は本実施の形態に係る装飾体を示した断面図であり、図１６の（ａ）は基準画素を含む横方向の画素の並びに沿って切断したものであり、図１６の（ｂ）は基準画素を含む縦方向の画素の並びに沿って切断したものである。図１７は本実施の形態に係る装飾体の画像層と平凸レンズ層との位置関係を示した平面図であり、図中、縦横方向の画素の並びを実線、縦横方向の平凸レンズの並びを点線にて示している。図１８は図１６に示す装飾体に現出する画像を示した説明図であり、図１８の（ａ）は装飾体をＸ方向から目視した際に現出する画像を示しており、図１８の（ｂ）は装飾体をＹ方向から目視した際に現出する画像を示している。これらの図において、図１〜図３と同一符号は同一又は相当部分を示している。
【００６２】
本実施の形態に係る平凸レンズ層５を構成する平凸レンズ２は、前記実施の形態１と同様に配列されている。また、画素層３を構成する画素２は、平凸レンズ４における縦方向のピッチよりも僅かに狭いピッチで縦方向に配列されていると共に、その縦方向のピッチよりもさらに狭いピッチで横方向に配列されている。従って、画素２と平凸レンズ４とのピッチの差は縦方向よりも横方向の方が大きくなっている。
【００６３】
次に、画素２と平凸レンズ４との位置関係を説明する。
【００６４】
画素層３と平凸レンズ層５とは、図１７に示すように、画素２と平凸レンズ４とが上下において最も重なる基準画素７と基準平凸レンズ８とからなる組を有するように積層されている。そして、基準画素列９から等距離にある一対の画素列１６が該画素列１６に対応する平凸レンズ列１７に対して基準画素列９を中心として内側にずれていると共に、基準画素列８よりも外側の画素列１６ほどずれる幅が大きくなり、かつ、基準画素行１８から等距離にある一対の画素行１９が該画素行１９に対応する平凸レンズ行２０に対して基準画素行１８を中心として画素列１６の平凸レンズ列１７に対するずれ幅よりも小さなずれ幅で内側にずれていると共に、基準画素行１８よりも外側の画素行１９ほどずれる幅が大きくなっている。
【００６５】
次に、装飾体１に現出する画像について説明する。
【００６６】
先ず、装飾体１の上方から光を照射すると、前記実施の形態１と同様に画素２と重なり合いの小さな平凸レンズ４が反射層６で反射された光を集光して輝くことにより、画素２と重なり合いの大きな平凸レンズ４によって形成される画像が強調され、装飾体１に画像が現出する。
【００６７】
この時、装飾体１をＸ方向から目視すると、画素２と平凸レンズ４との位置関係が、基準画素列９から等距離にある一対の画素列１６が該画素列１６に対応する平凸レンズ列１７に対して基準画素列９を中心として内側にずれていると共に、基準画素列９よりも外側の画素列１６ほどずれる幅が大きくなっているので、画像が基準画素７を中心として装飾体１に対して奥（下方）に沈んで見える。
【００６８】
一方、装飾体１をＹ方向から目視すると、画素２と平凸レンズ４との位置関係が、基準画素行１８から等距離にある一対の画素行１９が該画素行１９に対応する平凸レンズ行２０に対して基準画素行１８を中心として内側にずれていると共に、基準画素行１８よりも外側の画素行１９ほどずれる幅が大きくなっているので、画像が基準画素７を中心として装飾体１に対して奥（下方）に沈んで見える。
【００６９】
なお、画素２と平凸レンズ４の縦方向のピッチの差が画素２と平凸レンズ４の横方向のピッチの差よりも小さいため、平凸レンズ列１７に沿って引き伸ばされた形状の画像が現出し、また、図１８の（ａ）及び図１８の（ｂ）に示すように、装飾体１をＸ方向から目視した際に現出する画像３１よりもＹ方向から目視した際に現出する画像３２の方が上側の高さ位置に沈んで見える。
【００７０】
従って、装飾体１を９０度回転させることにより、異なる高さ位置に沈んで現出する画像３１，３２を視認することができる。
【００７１】
実施の形態７．
【００７２】
本実施の形態は前記実施の形態１における画素層と平凸レンズ層との位置関係を変えた変形例である。図１９は本実施の形態に係る装飾体の画像層と平凸レンズ層との位置関係を示した平面図であり、図中、縦横方向の画素の並びを実線、縦横方向の平凸レンズの並びを点線にて示している。これらの図において、図１〜図３と同一符号は同一又は相当部分を示している。
【００７３】
本実施の形態における平凸レンズ層５を構成する平凸レンズ２は、前記実施の形態１と同様に配列されている。また、画素層３を構成する画素２は、平凸レンズ４における縦方向及び横方向のピッチより広いピッチで縦方向及び横方向に整列された画素配置を一の画素列（図１９中、左端に位置する画素列）３３を残した状態で、一の画素列３３の隣の画素列１６から順に同じ傾斜角θを累積する傾斜パターンにて、画素配置における一の画素行（図１９中、下端に位置する画素行）３４に配置される画素２を中心として同一方向に並んで傾斜するように、即ち、一の画素列３３の隣の画素列１６である一列目の画素列１６の傾斜角θ１がθとなり、二列目の画素列１６の傾斜角θ２が２θとなり、以下、同様にｎ列目の画素列１６の傾斜角θｎがｎθとなるように傾斜させて配置されている。
【００７４】
次に、画素２と平凸レンズ４との位置関係を説明する。
【００７５】
画素層３と平凸レンズ層５とは、画素層３における一の画素列（図１９中、左端に位置する画素列）３３と平凸レンズ層５における一の平凸レンズ列（図１９中、左端に位置する平凸レンズ列）３５とが平行になり、かつ、画素２と平凸レンズ４とが上下において最も重なる基準画素７と基準平凸レンズ８とからなる組を有するように積層されている。そして、基準平凸レンズ８を中心とする対角線上の等距離にある平凸レンズ４に対応する画素２が該平凸レンズ４に対して基準平凸レンズ８を中心として点対称に横ずれして放射状に外側に向かってずれており、基準画素７よりも外側の他の画素２ほどずれる幅が大きくなっている。
【００７６】
次に、装飾体１に現出する画像について説明する。
【００７７】
先ず、装飾体１の上方から光を照射すると、前記実施の形態１と同様に画素２と重なり合いの小さな平凸レンズ４が反射層６で反射された光を集光して輝くことにより、画素２と重なり合いの大きな平凸レンズ４によって形成される画像が強調され、装飾体１に画像が現出する。
【００７８】
この時、基準平凸レンズ８を中心とする対角線上の等距離にある平凸レンズ４に対応する画素２が該平凸レンズ４に対して基準平凸レンズ８を中心として点対称に横ずれして放射状に外側に向かってずれており、基準画素７よりも外側の他の画素２ほどずれる幅が大きくなっているので、画像が基準画素７を中心として装飾体１に対して手前（上方）に浮かんで見える。
【００７９】
なお、基準平凸レンズ８から等距離にある平凸レンズ４に対応する画素２がそれぞれ同程度に重なり合っていないため、画素２の形状を拡大変形した形状の画像が現出する。
【００８０】
実施の形態８．
【００８１】
本実施の形態は前記実施の形態１における画素の変形例である。図２０は変形例１の画素層を示した平面図であり、図２１は変形例２の画素層を示した平面図であり、図２３は変形例３の画素層を示した平面図であり、図２４は変形例４の画素層を示した平面図であり、図２５は変形例５の画素層を示した平面図である。なお、各図において、縦横方向の画素の並びを実線で示している。
【００８２】
変形例１：本変形例の画素層３を構成する画素２は、各画素行１９上に配置される画素２の形状が、一の画素列（図２０中、左端に位置する画素列）３６上に配置される画素２を基本画素３７として該基本画素３７から離れるに従って徐々に変形するように形成されている。
【００８３】
本変形例に係る画素層３を積層した装飾体１においては、目視する方向を移動させることによって形状が徐々に変形する画像を得ることができる。
【００８４】
なお、本変形例においては、一の画素列上に配置される基本画素を基準として画素を徐々に変形させたが、一の画素を基準としてもよく、その他の画素を基準としてもよい。
【００８５】
変形例２：本変形例の画素層３を構成する画素２は、各画素行１９上に配置される画素２の形状が、一の画素列（図２１中、左端に位置する画素列）３６上に配置される画素２を基本画素３７として該基本画素３７から離れるに従って同じ回転角を累積する回転パターンにて一方向に回転するように形成されている。
【００８６】
本変形例に係る画素層３を積層した装飾体１においては、目視する方向を移動させることによって回転する画像を得ることができる。
【００８７】
なお、本変形例においては、一の画素列上に配置される基本画素を基準として画素を徐々に回転させたが、一の画素を基準としてもよく、その他の画素を基準としてもよい。
【００８８】
変形例３：本変形例の画素層３を構成する画素２は、２種類の画素２が上下左右において交互に配置されるパターンで整列されている。
【００８９】
本変形例に係る画素層３を積層した装飾体１においては、２種類の画素に起因する画像が重なった状態の画像を得ることができる。
【００９０】
なお、本変形例においては、画素２を２種類としたが３種類以上にしてもよい。
【００９１】
変形例４：本変形例の画素層３を構成する画素２は、２種類の画素２が左右にのみ交互に配置されており、上下には同じ形状の画素２が配置されるパターンで整列されている。
【００９２】
本変形例に係る画素層３を積層した装飾体１においても、２種類の画素に起因する画像が重なった状態の画像を得ることができる。
【００９３】
なお、本変形例においては、画素２を２種類としたが３種類以上にしてもよい。
【００９４】
変形例５：本変形例の画素層３は線状の画素２が配列されている。
【００９５】
本変形例に係る画素層３を積層した装飾体２においては、線状の画像を得ることができる。
【００９６】
前記実施の形態１乃至７においては、いずれも画素層３を一層のみ積層しているが、多数層積層してもよい。この場合には、それぞれの画素層３と平凸レンズ層５との位置関係によって各画素層３に対応した画像が現出する。
【００９７】
実施の形態９．
【００９８】
本実施の形態は前記実施の形態２における積層構造の変形例である。図２５は本実施の形態に係る変形例６の装飾体を示した断面図である。図２６は本実施の形態に係る変形例７の装飾体を示した断面図である。この図において、図４と同一符号は同一又は相当部分を示している。
【００９９】
変形例６：本変形例に係る装飾体１は、図２５に示すように、反射層６と画素層３との間に透明層３８が形成されている。なお、透明層３８は、無色であってもよく、また、着色されていてもよい。
【０１００】
本変形例に係る装飾体１の積層構造を実施の形態２乃至６で示した画素２と平凸レンズ４との位置関係を有する装飾体１に適用することにより、画像の浮き沈みの度合いが透明層３８がない場合に比べて顕著となる。これは、本変形例に係る装飾体１を目視すると、反射層６に映り込んだ画素２や反射光を平凸レンズ４を介して目視することになるため、実質的に平凸レンズ層５と画素層３との間に透明層が介在した状態が再現され、前記特許文献２に開示された装飾体と同様の作用・効果が得られるためであると推測される。
【０１０１】
なお、本実施の形態においては、透明層３８を一層としたが、複数層積層してもよい。
【０１０２】
変形例７：本変形例に係る装飾体１は、図２６に示すように、画素層３、平凸レンズ層５及び反射層６が基板３９上に積層されている。そして、反射層６は、平凸レンズ４の平面と同形状の反射素４０を複数整列してなっており、各反射素４０は平凸レンズ層５を構成する各平凸レンズ４の下に積層されるように配列されている。
【０１０３】
本変形例に係る装飾体１の積層構造を前記各実施の形態に係る装飾体に適用したとしても、同様の作用・効果を得ることができる。
【０１０４】
なお、前記各実施の形態においては、平凸レンズ層５を構成する平凸レンズ４を、縦横に直行するように整列しているが、規則正しく整列していればよく、例えば、図２７に示すように、縦横に整列された平凸レンズ４の並びにおける各平凸レンズ列１７を同じ角度傾斜させた状態で整列していてもよい。なお、この場合には、平凸レンズ４の並びに合わせて画素層３を構成する画素２の並びを調節する必要がある。
【０１０５】
また、前記各実施の形態においては、平凸レンズ層を構成する平凸レンズとして球面レンズを使用しているが、これに限定することなく、蒲鉾状の円柱レンズを使用することもできる。但し、円柱レンズを使用した場合には、画素層を構成する画素としてドット状の画素を使用すると、画素の拡大画像又は変形拡大画像を現出させることができない。
【０１０６】
また、前記各実施の形態においては、平凸レンズ層を構成する平凸レンズの配列を保持した状態で画素層を構成する画素の配列を変更して各種装飾体（実施の形態２乃至７に係る装飾体）を形成したが、画素層を構成する画素の配列を保持した状態で平凸レンズ層を構成する平凸レンズの配列を変更しても画像が現出する装飾体を得ることができる。例えば、実施の形態２乃至７に係る装飾体において画素層を構成する画素の配列と平凸レンズ層を構成する平凸レンズの配列を入れ替えた場合には、画像と平凸レンズとの位置関係が逆転するので、画像の浮き沈みが逆転した装飾体を得ることができる。
【図面の簡単な説明】
【０１０７】
【図１】実施の形態１に係る装飾体を示した断面図である。
【図２】実施の形態１に係る装飾体の画像層と平凸レンズ層との位置関係を示した平面図である。
【図３】図１に示す装飾体に現出する画像を示した説明図である。
【図４】実施の形態２に係る装飾体を示した断面図である。
【図５】実施の形態２に係る装飾体の画像層と平凸レンズ層との位置関係を示した平面図である。
【図６】図４に示す装飾体に現出する画像を示した説明図である。
【図７】実施の形態３に係る装飾体を示した断面図である。
【図８】実施の形態３に係る装飾体の画像層と平凸レンズ層との位置関係を示した平面図である。
【図９】図７に示す装飾体に現出する画像を示した説明図である。
【図１０】実施の形態４に係る装飾体を示した断面図である。
【図１１】実施の形態４に係る装飾体の画像層と平凸レンズ層との位置関係を示した平面図である。
【図１２】図１０に示す装飾体に現出する画像を示した説明図である。
【図１３】実施の形態５に係る装飾体を示した断面図である。
【図１４】実施の形態５に係る装飾体の画像層と平凸レンズ層との位置関係を示した平面図である。
【図１５】図１３に示す装飾体に現出する画像を示した説明図である。
【図１６】実施の形態６に係る装飾体を示した断面図である。
【図１７】実施の形態６に係る装飾体の画像層と平凸レンズ層との位置関係を示した平面図である。
【図１８】図１６に示す装飾体に現出する画像を示した説明図である。
【図１９】実施の形態７に係る装飾体の画像層と平凸レンズ層との位置関係を示した平面図である。
【図２０】変形例１の画素層を示した平面図である。
【図２１】変形例２の画素層を示した平面図である。
【図２２】変形例３の画素層を示した平面図である。
【図２３】変形例４の画素層を示した平面図である。
【図２４】変形例５の画素層を示した平面図である。
【図２５】変形例６に係る装飾体を示した断面図である。
【図２６】変形例７に係る装飾体を示した断面図である。
【図２７】平凸レンズ層の変形例を示した平面図である。
【符号の説明】
【０１０８】
１  装飾体
２  画素
３  画素層
４  平凸レンズ
５  平凸レンズ層
６  反射層
７  基準画素
８  基準平凸レンズ
９  基準画素列
１０  基準平凸レンズ列
１１  左目
１２，１４，１５  画像
１３  右目
１６  画素列
１７  平凸レンズ列
１８  基準画素行
１９  画素行
２０  平凸レンズ行
２１，２２，２３  画像
２４，２５，２６  画像
２７，２８  画像
２９，３０  画像
３１，３２  画像
３３  一の画素列
３４  一の画素行
３５  一の平凸レンズ列
３６  一の画素列
３７  基本画素
３８  透明層
３９  基板
４０  反射素
【図１】
0004835955.tif 000002
【図２】
0004835955.tif 000003
【図３】
0004835955.tif 000004
【図４】
0004835955.tif 000005
【図５】
0004835955.tif 000006
【図６】
0004835955.tif 000007
【図７】
0004835955.tif 000008
【図８】
0004835955.tif 000009
【図９】
0004835955.tif 000010
【図１０】
0004835955.tif 000011
【図１１】
0004835955.tif 000012
【図１２】
0004835955.tif 000013
【図１３】
0004835955.tif 000014
【図１４】
0004835955.tif 000015
【図１５】
0004835955.tif 000016
【図１６】
0004835955.tif 000017
【図１７】
0004835955.tif 000018
【図１８】
0004835955.tif 000019
【図１９】
0004835955.tif 000020
【図２０】
0004835955.tif 000021
【図２１】
0004835955.tif 000022
【図２２】
0004835955.tif 000023
【図２３】
0004835955.tif 000024
【図２４】
0004835955.tif 000025
【図２５】
0004835955.tif 000026
【図２６】
0004835955.tif 000027
【図２７】
0004835955.tif 000028